(57)【要約】【課題】第１の特定遊技状態のあと通常の遊技状態に戻るのか第２の特定遊技状態になるのかの期待感を持たせ、興趣を持って遊技をすることができること。【解決手段】始動口１に入賞した後、可変入賞装置２への入賞が可能な状態にある時において、前記可変入賞装置２内に設けられた特定の入賞口２１に遊技球が入賞することにより第１の特定遊技状態としての大当り状態になるパチンコ遊技機において、前記始動口１に入賞した時から前記第１の特定遊技状態としての大当り状態が終了するまでに特定の条件が満たされた場合として大当り入賞時の前記特定の入賞口２１に入賞した時に行った抽選に当選した時には第２の特定遊技状態としての前記特定の入賞口に遊技球が入賞するまで前記可変入賞装置が開成し続ける状態になるパチンコ遊技機。【選択図】　　　　図１
2004073596.tif 000002
【特許請求の範囲】
【請求項１】
始動口に入賞した後、可変入賞装置への入賞が可能な状態にある時において、前記可変入賞装置内に設けられた特定の入賞口に遊技球が入賞することにより第１の特定遊技状態になるパチンコ遊技機において、
前記始動口に入賞した時から前記第１の特定遊技状態が終了するまでに特定の条件が満たされた場合には第２の特定遊技状態になる
ことを特徴とするパチンコ遊技機。
【請求項２】
請求項１において、
前記特定の条件が、大当り入賞時の前記特定の入賞口に入賞した時に抽選を行い、該抽選に当選することである
ことを特徴とするパチンコ遊技機。
【請求項３】
請求項２において、
前記第２の特定遊技状態が、前記特定の入賞口に遊技球が入賞するまで前記可変入賞装置が開成し続ける
ことを特徴とするパチンコ遊技機。
【請求項４】
請求項２において、
前記第２の特定遊技状態が、一定時間前記可変入賞装置が開成し続ける
ことを特徴とするパチンコ遊技機。
【請求項５】
請求項２において、
前記第２の特定遊技状態が、所定数の遊技球が入賞するまで前記可変入賞装置が開成し続ける
ことを特徴とするパチンコ遊技機。
【請求項６】
請求項１において、
前記特定の条件が、始動口に入賞した時に行った抽選に当選することであり、
一定時間の第２の特定遊技状態において前記特定の入賞口への入賞がない場合には、前記当選の特典が保存される
ことを特徴とするパチンコ遊技機。
【発明の詳細な説明】
【０００１】
【発明の属する技術分野】
本発明は、始動口に入賞した後、可変入賞装置への入賞が可能な状態にある時において、前記可変入賞装置内に設けられた特定の入賞口に遊技球が入賞することにより第１の特定遊技状態になるパチンコ遊技機（第２種パチンコ遊技機）において、前記始動口に入賞した時から前記第１の特定遊技状態が終了するまでに特定の条件が満たされた場合には第２の特定遊技状態になるものであって、前記第１の特定遊技状態のあと通常の遊技状態に戻るのか第２の特定遊技状態になるのかの期待感を持たせ、興趣を持って遊技をすることができるパチンコ遊技機に関する。
【０００２】
【従来の技術】
従来のパチンコ遊技機は、始動入賞口に入賞した後可変入賞装置の誘導羽根部材が開放状態にある時において、可変入賞装置内に設けられた複数の入賞口のうち予め定められた特定の入賞口に遊技球が入賞することにより大当りの特典が与えられ、当該大当り状態終了後通常遊技状態に戻るものであった。
【０００３】
【発明が解決しようとする課題】
上記従来のパチンコ遊技機は、始動入賞口に入賞した後可変入賞装置の誘導羽根部材が開放状態にある時において、可変入賞装置内に設けられた複数の入賞口のうち予め定められた特定の入賞口に遊技球が入賞することにより大当りの特典が与えられ、当該大当り状態終了後通常遊技状態に戻るものであるため、遊技者の期待する特典が大当りのみであった。
【０００４】
また、従来のパチンコ遊技機は、前記特典の発生条件が、始動口に入賞から可変入賞装置開閉を経て特定入賞口に入賞するという大当りを獲得するまでの過程が決まっており単一的なものであったため、その大当り獲得までおよび大当り獲得後の過程に対して、遊技者が十分な満足感または期待感または緊張感をもって遊技しているとはいえないので、遊技者が飽き始めているという問題があった。
【０００５】
そこで本発明者は、始動入賞口に入賞した後可変入賞装置の誘導羽根部材が開放状態にある時において、可変入賞装置内に設けられた予め定められた特定の入賞口に遊技球が入賞することにより特典が与えられるパチンコ遊技機（第２種パチンコ遊技機）において、前記始動口に入賞した時から前記第１の特定遊技状態が終了するまでに特定の条件が満たされた場合には第２の特定遊技状態になるという本発明の技術的思想に着眼し、更に研究開発を重ねた結果、前記第１の特定遊技状態のあと通常の遊技状態に戻るのか第２の特定遊技状態になるのかの期待感を持たせ、興趣を持って遊技をすることができるという目的を達成する本発明に到達した。
【０００６】
【課題を解決するための手段】
本発明（請求項１に記載の第１発明）のパチンコ遊技機は、
始動口に入賞した後、可変入賞装置への入賞が可能な状態にある時において、前記可変入賞装置内に設けられた特定の入賞口に遊技球が入賞することにより第１の特定遊技状態になるパチンコ遊技機において、
前記始動口に入賞した時から前記第１の特定遊技状態が終了するまでに特定の条件が満たされた場合には第２の特定遊技状態になる
ものである。
【０００７】
本発明（請求項２に記載の第２発明）のパチンコ遊技機は、
前記第１発明において、
前記特定の条件が、大当り入賞時の前記特定の入賞口に入賞した時に抽選を行い、該抽選に当選することである
ものである。
【０００８】
本発明（請求項３に記載の第３発明）のパチンコ遊技機は、
前記第２発明において、
前記第２の特定遊技状態が、前記特定の入賞口に遊技球が入賞するまで前記可変入賞装置が開成し続ける
ものである。
【０００９】
本発明（請求項４に記載の第４発明）のパチンコ遊技機は、
前記第２発明において、
前記第２の特定遊技状態が、一定時間前記可変入賞装置が開成し続ける
ものである。
【００１０】
本発明（請求項５に記載の第５発明）のパチンコ遊技機は、
前記第２発明において、
前記第２の特定遊技状態が、所定数の遊技球が入賞するまで前記可変入賞装置が開成し続ける
ものである。
【００１１】
本発明（請求項６に記載の第６発明）のパチンコ遊技機は、
前記第１発明において、
前記特定の条件が、始動口に入賞した時に行った抽選に当選することであり、
一定時間の第２の特定遊技状態において前記特定の入賞口への入賞がない場合には、前記当選の特典が保存される
ものである。
【００１２】
【発明の作用および効果】
上記構成より成る第１発明のパチンコ遊技機は、始動口に入賞した後、可変入賞装置への入賞が可能な状態にある時において、前記可変入賞装置内に設けられた特定の入賞口に遊技球が入賞することにより第１の特定遊技状態になるパチンコ遊技機において、前記始動口に入賞した時から前記第１の特定遊技状態が終了するまでに特定の条件が満たされた場合には第２の特定遊技状態になるので、前記第１の特定遊技状態のあと通常の遊技状態に戻るのか第２の特定遊技状態になるのかの期待感を持たせ、興趣を持って遊技をすることができるという効果を奏する。
【００１３】
上記構成より成る第２発明のパチンコ遊技機は、前記第１発明において、前記特定の条件が、大当り入賞時の前記特定の入賞口に入賞した時に抽選を行い、該抽選に当選することであるので、前記始動口に入賞した時から前記第１の特定遊技状態としての大当り状態が終了するまでに大当り入賞時の前記特定の入賞口に入賞した時に行った抽選に当選した場合には第２の特定遊技状態になるので、前記第１の特定遊技状態としての大当り状態のあと通常の遊技状態に戻るのか第２の特定遊技状態になるのかの期待感を持たせ、興趣を持って遊技をすることができるという効果を奏する。
【００１４】
上記構成より成る第３発明のパチンコ遊技機は、前記第２発明において、前記第２の特定遊技状態が、大当り状態であるので、前記始動口に入賞した時から前記第１の特定遊技状態としての大当り状態が終了するまでに大当り入賞時の前記特定の入賞口に入賞した時に行った抽選に当選した場合には第２の特定遊技状態としての前記特定の入賞口に遊技球が入賞するまで前記可変入賞装置が開成し続ける状態になるので、前記第１の特定遊技状態としての大当り状態のあと通常の遊技状態に戻るのか第２の特定遊技状態としての前記特定の入賞口に遊技球が入賞するまで前記可変入賞装置が開成し続ける状態になるのかの期待感を持たせ、興趣を持って遊技をすることができるという効果を奏する。
【００１５】
上記構成より成る第４発明のパチンコ遊技機は、前記第２発明において、前記特定の条件が、大当り入賞時の前記特定の入賞口に入賞した時に抽選を行い、該抽選に当選することであるので、前記始動口に入賞した時から前記第１の特定遊技状態としての大当り状態が終了するまでに大当り入賞時の前記特定の入賞口に入賞した時に行った抽選に当選した場合には第２の特定遊技状態としての一定時間前記可変入賞装置が開成し続けるので、前記第１の特定遊技状態としての大当り状態のあと通常の遊技状態に戻るのか第２の特定遊技状態としての一定時間前記可変入賞装置が開成し続けるかの期待感を持たせ、興趣を持って遊技をすることができるという効果を奏する。
【００１６】
上記構成より成る第５発明のパチンコ遊技機は、前記第２発明において、前記特定の条件が、大当り入賞時の前記特定の入賞口に入賞した時に抽選を行い、該抽選に当選することであるので、前記始動口に入賞した時から前記第１の特定遊技状態としての大当り状態が終了するまでに大当り入賞時の前記特定の入賞口に入賞した時に行った抽選に当選した場合には第２の特定遊技状態としての所定数の遊技球が入賞するまで前記可変入賞装置が開成し続けるので、前記第１の特定遊技状態としての大当り状態のあと通常の遊技状態に戻るのか第２の特定遊技状態としての所定数の遊技球が入賞するまで前記可変入賞装置が開成し続けるかの期待感を持たせ、興趣を持って遊技をすることができるという効果を奏する。
【００１７】
上記構成より成る第６発明のパチンコ遊技機は、始動口に入賞した後、可変入賞装置への入賞が可能な状態にある時において、前記可変入賞装置内に設けられた特定の入賞口に遊技球が入賞することにより第１の特定遊技状態になるパチンコ遊技機において、前記始動口に入賞した時から前記第１の特定遊技状態が終了するまでに特定の条件が満たされた場合としての始動口に入賞した時に行った抽選に当選した場合には第２の特定遊技状態になるので、前記第１の特定遊技状態のあと通常の遊技状態に戻るのか第２の特定遊技状態になるのかの期待感を持たせ、興趣を持って遊技をすることができるという効果を奏するとともに、一定時間の第２の特定遊技状態において前記特定の入賞口への入賞がない場合には、前記当選の特典が保存され持ち越すことが出来るので第２の特定遊技状態の発生回数が増えるという期待感を持たせることができるという効果を奏する。
【００１８】
【発明の実施の形態】
以下本発明の実施の形態につき、図面を用いて説明する。
【００１９】
（第１実施形態）
本第１実施形態のパチンコ遊技機は、図１および図２に示されるように始動口１に入賞した後、可変入賞装置２への入賞が可能な状態にある時において、前記可変入賞装置２内に設けられた特定の入賞口２１に遊技球が入賞することにより第１の特定遊技状態としての大当り状態になるパチンコ遊技機において、前記始動口１に入賞した時から前記第１の特定遊技状態としての大当り状態が終了するまでに特定の条件が満たされた場合として大当り入賞時の前記特定の入賞口２１に入賞した時に行った抽選に当選した時には第２の特定遊技状態としての前記特定の入賞口に遊技球が入賞するまで前記可変入賞装置が開成し続ける状態になるものである。
【００２０】
本第１実施形態のパチンコ遊技機は、一例として本発明を第２種パチンコ遊技機に適用したものである。
【００２１】
前記始動口１は、遊技盤下部の左右に配設され、入賞すると前記入賞装置２の開閉式入賞口２０が１回開閉する左右始動口１１と、遊技盤下部の中央に配設され、入賞すると前記入賞装置２の開閉式入賞口２０が２回開閉する中央始動口１２とから成る。
【００２２】
前記入賞装置２は、遊技盤のほぼ中央上部寄りに配設され、揺動することにより前記開閉式入賞口２０を開閉する左右の揺動羽根部材２０１と、該開閉式入賞口２０を通過した遊技球が入賞する下部中央に配設された特定の入賞口２１とを備えている。
【００２３】
また前記入賞装置２は、内部に前記開閉式入賞口２０を通過した遊技球が通過する複数の穴が放射状に形成された左右一対の回転部材が回転自在に配設され、該左右一対の回転部材２２は、前記始動口１に入賞した後前記開閉式入賞口２０が開放状態にある時だけに限らず常時モータのような回転駆動機構によって一定速度で回転するように構成されている。
【００２４】
前記左右一対の回転部材は、異なった方向に回転駆動され、すなわち図１中右側の回転部材が時計方向に回転駆動され、左側の回転部材が反時計方向に回転駆動され、前記開閉式入賞口２０を通過して内部に導入された遊技球が可変入賞装置２の下部中央に配設された特定の入賞口２１に入賞すると大当りが発生するように構成されている。
【００２５】
前記開閉式入賞口２０を通過して内部に導入された遊技球が、前記可変入賞装置２の下部中央に配設された特定の入賞口２１に入賞すると、前記遊技球が前記特定の入賞口２１に入賞した時に乱数値を取得して、取得した乱数値が所定値かどうかによって前記抽選の当選が、判断され、抽選表示部３に表示される。
【００２６】
すなわち大当り発生時（特定入賞口入賞時）に乱数を取得し、該乱数値が所定の値であったときに、大当り動作終了後、特定入賞口に遊技球が入賞するまで前記可変入賞装置２の可動片としての左右の揺動羽根部材２０１が開成し続ける特定遊技モードに突入するものである。
【００２７】
前記第２の特定遊技状態としての特定遊技モードに突入するか否かの抽選の確率は、「１／１０」とし、その大当り動作中または終了後に当たり（当選）外れ（落選）を抽選表示部３を介して遊技者に報知するものである。
【００２８】
上記構成より成る本第１実施形態のパチンコ遊技機の動作について、図２に示されるフローチャートを用いて説明する。
【００２９】
始動口１に入賞した後、前記可変入賞装置２への入賞が可能な状態にある時において、前記可変入賞装置２内に設けられた特定の入賞口２１に遊技球が入賞することにより第１の特定遊技状態としての大当りが発生すると、ステップ１０１において、前記遊技球が前記特定の入賞口２１に入賞した時に乱数値が取得され、ステップ１０２において、大当り動作となる。
【００３０】
ステップ１０３において、ステップ１０１において取得された乱数値が、所定値がどうか判定され、取得された乱数値が、所定値の場合は、ステップ１０４において、前記第２の特定遊技状態としての特定遊技モードが設定されるとともに、抽選表示部３を介して遊技者に報知する。
【００３１】
ステップ１０５において、大当り動作終了後遊技球が初めて始動口１に入賞すると、ステップ１０６において、前記可変入賞装置２内の前記特定入賞口に遊技球が入賞するまで前記可変入賞装置２の可動片としての前記左右の揺動羽根部材２０１が開成し続ける特定遊技モードである可動片開成状態が継続される。
【００３２】
ステップ１０７において、大当りが発生すると、前記第２の特定遊技状態としての特定遊技モードが終了され、大当り動作となる。
【００３３】
上記作用を奏する本第１実施形態のパチンコ遊技機は、前記抽選の当選が、前記遊技球が前記特定の入賞口２１に入賞した時に取得した乱数値が所定値かどうかによって判断されるので、前記始動口１に入賞した時から前記第１の特定遊技状態としての大当り状態が終了するまでに大当り入賞時の前記特定の入賞口２１に入賞した時に行った抽選において前記遊技球が前記特定の入賞口２１に入賞した時に取得した乱数値が所定値であって当選した場合には第２の特定遊技状態としての前記特定の入賞口２１に遊技球が入賞するまで前記可変入賞装置が開成し続ける状態になるので、前記第１の特定遊技状態としての大当り状態のあと通常の遊技状態に戻るのか第２の特定遊技状態としての前記特定の入賞口に遊技球が入賞するまで前記可変入賞装置２が開成し続ける状態になるのかの期待感を持たせ、興趣を持って遊技をすることができるという効果を奏する。
【００３４】
すなわち本第１実施形態においては、これまでの従来のパチンコ遊技機では始動口１への入賞という条件を満たさなければ大当りを発生させることができなかったが、所定の条件を満たすと特定の条件（大当りが発生する）まで可動片が開成し続けるので、遊技者はそうなることを期待して遊技をすることが可能となり、興趣を持って遊技をすることが出来るのである。
【００３５】
（第２実施形態）
本第２実施形態のパチンコ遊技機は、始動口１に入賞した時に抽選を行い、大当り状態の後第２の特定遊技状態として一定時間可変入賞装置２の可変入賞口２０が開成し、抽選で当選しても大当り状態にならない場合は当選の利益がストック（保存）される点が、上述の第１実施形態との相違点であり、以下相違点を中心に図３および図４を用いて説明する。
【００３６】
始動口１に入賞した時に抽選が行われ、乱数が取得され、取得した乱数が所定値かどうかが判定され、２０パーセントの確率で当選と判断された場合は大当り動作終了後一定時間（例えば１分間）だけ可変入賞装置２の可変入賞口２０が開成状態とされるか、遊技盤の左右少なくともいずれかのチューリップ部材が開閉される１回目の第２の特定遊技状態となり、８０パーセントの確率で落選と判断された場合は大当り動作終了後通常遊技状態となるように構成されている。
【００３７】
１回の当選の利益がストック（保存）されている場合は、前記１回目の第２の特定遊技状態終了後２０パーセントの確率で一定時間可変入賞装置２の可変入賞口２０が開成されるか、遊技盤の左右少なくともいずれかのチューリップ部材４が開閉される上述と同様の２回目の第２の特定遊技状態となり、８０パーセントの確率で通常遊技状態が維持されるように構成されている。
【００３８】
前記１回目および前記２回目の第２の特定遊技状態において、前記可変入賞装置２内に設けられた特定の入賞口２１に遊技球が入賞すると大当り状態となるように構成されている。
【００３９】
上記構成より成る本第２実施形態のパチンコ遊技機の１回の当選の利益がストック（保存）されている場合の動作について、図４に示されるフローチャートを用いて説明する。
【００４０】
ステップ２０１において、始動口１に入賞した時に乱数値が取得され、ステップ２０２において、ステップ２０１において取得された乱数値が、２０パーセントの確率の所定値かどうか判定され、２０パーセントの確率の所定値の場合は当選と判断されストックが１から２となり、８０パーセントの確率の所定値でない場合は落選と判断される。
【００４１】
前記始動口１に入賞した後、前記可変入賞装置２への入賞が可能な状態にある時において、ステップ２０３において前記可変入賞装置２内に設けられた特定の入賞口２１に遊技球が入賞することにより第１の特定遊技状態としての大当りが発生すると、ステップ２０４において、大当り動作状態となる。
【００４２】
大当り動作状態が終了すると、ステップ２０５において、一定時間可変入賞装置２の可変入賞口２０が開成状態とされるか、遊技盤の左右少なくともいずれかのチューリップ部材４が開閉される１回目の第２の特定遊技状態となり、ストックが２から１となる。
【００４３】
前記１回目の第２の特定遊技状態において、ステップ２０６において、大当りが発生すると、ステップ２０７において、大当り動作状態となり、大当り動作状態が終了すると、ステップ２０８において、ストック（保存）されている取得された乱数値が、２０パーセントの確率の所定値かどうか判定され、２０パーセントの確率の所定値の場合は当選と判断されストックが１から０となり、８０パーセントの確率の所定値でない場合は落選と判断され、落選の場合は通常の遊技状態となる。
【００４４】
２０パーセントの確率の所定値の場合は当選と判断された場合は、ステップ２０９において、一定時間可変入賞装置２の可変入賞口２０が開成状態とされるか、遊技盤の左右少なくともいずれかのチューリップ部材４が開閉される２回目の第２の特定遊技状態となり、ストックが１から０となる。
【００４５】
前記２回目の第２の特定遊技状態において、ステップ２１０において、大当りが発生すると、ステップ２１１において、大当り動作状態となり、大当り動作状態が終了すると、通常遊技状態となる。
【００４６】
上述のステップ２０２において、取得された乱数値が、８０パーセントの確率の所定値でない場合は落選と判断（ストック１のまま）され、前記始動口１に入賞した後、前記可変入賞装置２への入賞が可能な状態にある時において、ステップ３０１において前記可変入賞装置２内に設けられた特定の入賞口２１に遊技球が入賞することにより第１の特定遊技状態としての大当りが発生すると、ステップ３０２において、大当り動作状態となる。
【００４７】
大当り動作状態が終了すると、ステップ３０３において、一定時間可変入賞装置２の可変入賞口２０が開成状態とされるか、遊技盤の左右少なくともいずれかのチューリップ部材が開閉される第２の特定遊技状態となり、ストックが１から０となる。
【００４８】
該第２の特定遊技状態において、ステップ３０４において、大当りが発生すると、ステップ３０５において、大当り動作状態となり、大当り動作状態が終了すると、通常遊技状態となる。
【００４９】
上記作用を奏する本第２実施形態のパチンコ遊技機は、前記抽選の当選が、前記遊技球が前記特定の入賞口２１に入賞した時に取得した乱数値が所定値かどうかによって判断されるので、前記始動口１に入賞した時から前記第１の特定遊技状態としての大当り状態が終了するまでに大当り入賞時の前記特定の入賞口２１に入賞した時に行った抽選において前記遊技球が前記特定の入賞口２１に入賞した時に取得した乱数値が所定値であって当選した場合には第２の特定遊技状態として一定時間前記可変入賞装置が開成し続ける状態か、または遊技盤の左右少なくともいずれかのチューリップ部材４が開閉される状態になるので、前記第１の特定遊技状態としての大当り状態のあと通常の遊技状態に戻るのか第２の特定遊技状態として一定時間前記可変入賞装置２が開成し続け、大当り状態が発生するのかの期待感を持たせ、興趣を持って遊技をすることができるという効果を奏する。
【００５０】
特に本第２実施形態においては、始動口に入賞した時に抽選を行い、抽選で当選しても大当り状態にならない場合は当選の利益が次のゲームまでストック（保存）されるので、図３におけるストックが１である場合を例にとった説明から明らかなようにストックの数に応じて第２の特定遊技状態の発生回数が増え、結果として大当り回数も増える可能性が有るので、ゲームの発展的展開に対する期待感を持たせ、一層興趣を持って遊技をすることができるという効果を奏する。
【００５１】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５２】
また上述の実施形態においては、説明のために第２の特定遊技状態の一例として前記可変入賞装置の可動片としての前記左右の揺動羽根部材２０１が開成し続ける状態について説明したが、本発明としてはそれらに限定されるものでは無く、大当りが発生するまで前記可変入賞装置の可動片としての前記左右の揺動羽根部材２０１が開閉動作を繰り返すようにする実施形態を採用することが出来る。
【００５３】
さらに上述の実施形態においては、第２の特定遊技状態として前記可変入賞装置の開成が、大当りが発生するまで継続する例（第１実施形態）および一定時間継続する例（第２実施形態）について説明したが、本発明としてはそれらに限定されるものでは無く、例えば１０個などの一定個数の遊技球が入賞するまで前記可変入賞装置が開成または開閉するようにする実施形態を採用することが出来る。
【００５４】
また上述の実施形態においては、前記第２の特定遊技状態として前記可変入賞装置の開成が、大当りが発生するまで継続する例（第１実施形態）および一定時間継続する例（第２実施形態）について説明したが、本発明としてはそれらに限定されるものでは無く、例えば大当り状態におけるラウンド数に応じて変化する数の遊技球が入賞するまで前記可変入賞装置が開成し続けるすなわち大当り状態におけるラウンド数が多い時はそれに応じて入賞する遊技球の数を増やしたり、逆に減らしても良く、大当り状態におけるラウンド数が少ない時はそれに応じて入賞する遊技球の数を増やしたり、逆に減らしても良いのである。
【００５５】
さらに上述の実施形態においては、説明のために第２の特定遊技状態を実現する特定の条件の例として、大当り入賞時の前記特定の入賞口に入賞した時に乱数値による抽選を行う例について説明したが、本発明としてはそれらに限定されるものでは無く、例えば特定の入賞口に入賞する時間間隔または時間間隔の変化その他を利用した実施形態を採用することが出来る。
【００５６】
また上述の実施形態においては、一例として大当り動作終了後の１回目の始動口への入賞に基づいて第２の特定遊技状態を開始する例について説明したが、本発明としてはそれらに限定されるものでは無く、例えば大当り動作終了後に突然前記可変入賞装置の上述の可動片が開成するようにする実施形態を採用することが出来る。
【図面の簡単な説明】
【図１】本発明の第１実施形態のパチンコ遊技機の遊技盤を示す正面図である。
【図２】本第１実施形態のパチンコ遊技機における動作手順を示すチャート図である。
【図３】本発明の第２実施形態のパチンコ遊技機の遊技盤を示す正面図である。
【図４】本第２実施形態のパチンコ遊技機における動作手順を示すチャート図である。
【符号の説明】
１　始動口
２　可変入賞装置
２１　特定の入賞口
【図１】
2004073596.tif 000003
【図２】
2004073596.tif 000004
【図３】
2004073596.tif 000005
【図４】
2004073596.tif 000006